(57)【要約】【課題】ＤＲＭ技術を用いて、視聴期間を設けたコンテンツをネットワーク経由で提供するレンタルシステムにおいて、書き出しライセンスを取得してコンテンツをメディアに書き出す場合、メディアに書き出されたコンテンツはＤＲＭ管理下から外れて永続利用が可能になるために、ユーザにとって魅力のある特典付加サービスの提供が困難であった。【解決手段】暗号化コンテンツ１７４には、第１の限定ライセンス１７０に基づいて利用が許諾される本編部分と、本編部分に対する外部書き出しライセンス１３５の取得に伴って使用可能となる第２の限定ライセンス１３８に基づいて利用が許諾される特典部分とが含まれる。ダウンロード端末２０４は、各ライセンス１７０、１３５、１３８に基づいて、本編部分の視聴および書き出しと、特典部分の視聴を制御する。【選択図】図９
2009038510.tif 000002
【特許請求の範囲】
【請求項１】
コンテンツサーバから配信される暗号化コンテンツを蓄積するダウンロード端末であって、
前記暗号化コンテンツには、第１の限定ライセンスに基づいて利用が許諾される本編部分と、前記本編部分に対する外部書き出しライセンスの取得に伴って使用可能となる第２の限定ライセンスに基づいて利用が許諾される特典部分とが含まれており、
前記第１の限定ライセンスに基づいて前記本編部分を利用する本編利用ユニットと、
前記第２の限定ライセンスに基づいて前記特典部分を利用する特典利用ユニットとを備えたことを特徴とするダウンロード端末。
【請求項２】
前記本編利用ユニットは、前記第１の限定ライセンスに基づいて前記本編部分を視聴させ、
前記特典利用ユニットは、前記第２の限定ライセンスに基づいて前記特典部分を視聴させる、請求項１に記載のダウンロード端末。
【請求項３】
前記本編部分と前記特典部分とが単一ファイルに含まれていることを特徴とする請求項１に記載のダウンロード端末。
【請求項４】
前記第２の限定ライセンスは、前記特典部分の利用期間を限定することを特徴とする請求項１に記載のダウンロード端末。
【請求項５】
前記特典利用ユニットが前記第２の限定ライセンスに基づいて前記特典部分を利用するとは、前記特典部分を前記ダウンロード端末上でのみ利用すること、または、前記特典部分を許諾された視聴用暗号化出力として出力することである、請求項１に記載のダウンロード端末。
【請求項６】
前記特典部分は、前記本編部分の後に置かれていることを特徴とする請求項３に記載のダウンロード端末。
【請求項７】
前記暗号化コンテンツは、映像コンテンツおよび映像音声コンテンツの少なくともいずれか一方を含み、
前記本編部分および前記特典部分の少なくとも一部分は、時間軸多重されており、
前記本編部分に含まれる要素識別子は、前記本編部分に関する要素識別子のみであり、
前記特典部分に含まれる要素識別子は、前記特典部分に関する要素識別子のみであることを特徴する請求項１に記載のダウンロード端末。
【請求項８】
１つのファイルとして配信されてきた前記暗号化コンテンツを、前記本編部分を含むファイル、および前記特典部分を含むファイルに分けて蓄積するコンテンツ蓄積部を備えたことを特徴とする請求項１に記載のダウンロード端末。
【請求項９】
前記本編部分および前記特典部分が互いに異なるファイルとして配信されてきた前記暗号化コンテンツを、１つのファイルとして蓄積するコンテンツ蓄積部を備えたことを特徴とする請求項１に記載のダウンロード端末。
【請求項１０】
前記第２の限定ライセンスには、少なくとも前記暗号化コンテンツにおける前記特典部分のデータ開始点位置情報、または前記特典部分が含まれる区間を示すデータ区間情報が含まれることを特徴とする請求項１に記載のダウンロード端末。
【請求項１１】
前記本編部分を前記特典部分よりも先にダウンロードするコンテンツ受信部を備えたことを特徴とする請求項１に記載のダウンロード端末。
【請求項１２】
前記第１の限定ライセンスには、利用期間が限定された前記本編部分の利用許諾が含まれ、
前記第２の限定ライセンスには、利用期限無しの前記本編部分の利用許諾が含まれ、
前記第２の限定ライセンス取得時に、前記第１の限定ライセンスを前記第２の限定ライセンスに置き換えることを特徴とする請求項１に記載のダウンロード端末。
【請求項１３】
暗号化コンテンツをダウンロード端末に配信するサーバであって、
前記暗号化コンテンツには、第１の限定ライセンスに基づいて前記ダウンロード端末における利用が許諾される本編部分と、前記本編部分に対する外部書き出しライセンスの送信に伴って使用可能となる第２の限定ライセンスに基づいて前記ダウンロード端末における利用が許諾される特典部分とが含まれていることを特徴とするサーバ。
【請求項１４】
前記第１の限定ライセンスは、前記ダウンロード端末における前記本編部分の視聴を許諾するライセンスであり、
前記第２の限定ライセンスは、前記ダウンロード端末における前記特典部分の視聴を許諾するライセンスである、請求項１３に記載のサーバ。
【請求項１５】
前記本編部分と前記特典部分とが単一ファイルに含まれていることを特徴とする請求項１３に記載のサーバ。
【請求項１６】
前記第２の限定ライセンスは、前記特典部分の利用期間を限定することを特徴とする請求項１３に記載のサーバ。
【請求項１７】
前記第２の限定ライセンスに基づいた前記ダウンロード端末における利用とは、前記特典部分を前記ダウンロード端末上でのみ利用すること、または、前記特典部分を許諾された視聴用暗号化出力として出力することである、請求項１３に記載のサーバ。
【請求項１８】
前記特典部分は、前記本編部分の後に置かれていることを特徴とする請求項１５に記載のサーバ。
【請求項１９】
前記暗号化コンテンツは、映像コンテンツおよび映像音声コンテンツの少なくともいずれか一方を含み、
前記本編部分および前記特典部分の少なくとも一部分は、時間軸多重されており、
前記第２の限定ライセンスには、前記暗号化コンテンツにおける前記特典部分の要素識別子が含まれることを特徴とする請求項１３に記載のサーバ。
【請求項２０】
前記第２の限定ライセンスには、少なくとも前記暗号化コンテンツにおける前記特典部分のデータ開始点位置情報、または前記特典部分が含まれる区間を示すデータ区間情報が含まれることを特徴とする請求項１３に記載のサーバ。
【請求項２１】
前記本編部分を前記特典部分よりも先に配信することを特徴とする請求項１３に記載のサーバ。
【請求項２２】
前記第１の限定ライセンスには、利用期間が限定された前記本編部分の利用許諾が含まれ、
前記第２の限定ライセンスには、利用期限無しの前記本編部分の利用許諾が含まれ、
前記第２の限定ライセンスを前記ダウンロード端末に発行した際に、前記ダウンロード端末において前記第１の限定ライセンスが前記第２の限定ライセンスで置き換えられることを特徴とする請求項１３に記載のサーバ。
【請求項２３】
少なくとも、暗号化コンテンツをダウンロード端末に配信するコンテンツ配信サーバと、前記暗号化コンテンツの利用許諾ライセンスを発行するライセンスサーバとを備えたコンテンツ配信システムであって、
前記暗号化コンテンツには、少なくとも本編部分および特典部分が含まれており、
前記ライセンスサーバは、前記ダウンロード端末からの第１のライセンス要求に応じて、前記本編部分を期間限定で利用可能にする前記第１の限定ライセンスを前記ダウンロード端末に発行し、前記ダウンロード端末からの第２のライセンス要求に応じて、前記本編部分を前記ダウンロード端末外部に書き出し可能にする外部書き出しライセンス、および前記特典部分の限定的な利用を許諾する前記第２の限定ライセンスを前記ダウンロード端末に発行することを特徴とするコンテンツ配信システム。
【請求項２４】
前記第１の限定ライセンスは、期間限定で前記ダウンロード端末における前記本編部分の視聴を許諾するライセンスであり、
前記第２の限定ライセンスは、前記ダウンロード端末における前記特典部分の限定的な視聴を許諾するライセンスである、請求項２３に記載のコンテンツ配信システム。
【請求項２５】
前記コンテンツ配信サーバは、単一ファイルに含まれている前記本編部分および前記特典部分を配信することを特徴とする請求項２３に記載のコンテンツ配信システム。
【請求項２６】
前記コンテンツ配信サーバは、前記第２の限定ライセンスによって利用期間が限定される前記特典部分を配信することを特徴とする請求項２３に記載のコンテンツ配信システム。
【請求項２７】
前記コンテンツ配信サーバは、前記第２の限定ライセンスに基づいて前記ダウンロード端末上でのみ利用可能となる前記特典部分を配信することを特徴とする請求項２３に記載のコンテンツ配信システム。
【請求項２８】
前記コンテンツ配信サーバと、前記ライセンスサーバとが一体化していることを特徴とする請求項２３に記載のコンテンツ配信システム。
【請求項２９】
前記コンテンツ配信サーバは、前記特典部分を前記本編部分の後で配信することを特徴とする請求項２５に記載のコンテンツ配信システム。
【請求項３０】
前記暗号化コンテンツは、映像コンテンツおよび映像音声コンテンツの少なくともいずれか一方を含み、
前記コンテンツ配信サーバは、前記本編部分および前記特典部分の少なくとも一部分を時間軸多重し、前記本編部分には要素識別子として前記本編部分に関する要素識別子のみを含め、前記特典部分には要素識別子として前記特典部分に関する要素識別子のみを含めて配信することを特徴する請求項２３に記載のコンテンツ配信システム。
【請求項３１】
前記ライセンスサーバは、前記暗号化コンテンツにおける前記特典部分の要素識別子を含む前記第２の限定ライセンスを発行し、
前記コンテンツ配信サーバが配信する前記暗号化コンテンツには、映像コンテンツおよび映像音声コンテンツの少なくともいずれか一方が含まれており、
前記コンテンツ配信サーバは、前記本編部分および前記特典部分の少なくとも一部分を時間軸多重して配信することを特徴とする請求項２３に記載のコンテンツ配信システム。
【請求項３２】
前記第２の限定ライセンスには、前記暗号化コンテンツにおける前記特典部分のデータ開始点位置情報が含まれることを特徴とする請求項２３に記載のコンテンツ配信システム。
【請求項３３】
前記コンテンツ配信サーバは、前記本編部分を前記特典部分よりも先に配信することを特徴とする請求項２３に記載のコンテンツ配信システム。
【請求項３４】
前記第１の限定ライセンスは、利用期間が限定された前記本編部分の利用許諾を含み
前記第２の限定ライセンスは、利用期限無しの前記本編部分の利用許諾を含み、
前記ライセンスサーバが前記第２の限定ライセンスを前記ダウンロード端末に発行した際に、前記ダウンロード端末において前記第１の限定ライセンスが前記第２の限定ライセンスで置き換えられることを特徴とする請求項２３に記載のコンテンツ配信システム。
【請求項３５】
コンテンツサーバから配信される暗号化コンテンツを利用するコンテンツ利用方法であって、
前記暗号化コンテンツには、第１の限定ライセンスに基づいて利用が許諾される本編部分と、前記本編部分に対する外部書き出しライセンスの取得に伴って使用可能となる第２の限定ライセンスに基づいて利用が許諾される特典部分とが含まれており、
前記第１の限定ライセンスに基づいて前記本編部分を利用する本編利用ステップと、
前記第２の限定ライセンスに基づいて前記特典部分を利用する特典利用ステップとを備えたことを特徴とするコンテンツ利用方法。
【請求項３６】
前記本編利用ステップでは、前記第１の限定ライセンスに基づいて前記本編部分を視聴させ、
前記特典利用ステップでは、前記第２の限定ライセンスに基づいて前記特典部分を視聴させる、請求項３５に記載のコンテンツ利用方法。
【請求項３７】
前記本編利用ステップおよび前記特典利用ステップでは、単一ファイルに含まれている前記本編部分および前記特典部分をそれぞれ利用することを特徴とする請求項３５に記載のコンテンツ利用方法。
【請求項３８】
前記第２の限定ライセンスは、前記特典部分の利用期間を限定することを特徴とする請求項３５に記載のコンテンツ利用方法。
【請求項３９】
前記特典利用ステップにおいて前記第２の限定ライセンスに基づいて前記特典部分を利用するとは、前記特典部分が配信されたダウンロード端末上で利用すること、または、許諾された視聴用暗号化出力先で前記特典部分を利用することである、請求項３５に記載のコンテンツ利用方法。
【請求項４０】
前記特典部分を前記本編部分の後に置いて利用することを特徴とする請求項３７に記載のコンテンツ利用方法。
【請求項４１】
前記暗号化コンテンツは、映像コンテンツおよび映像音声コンテンツの少なくともいずれか一方を含み、
前記本編部分および前記特典部分の少なくとも一部分は、時間軸多重されており、
前記本編部分に含まれる要素識別子は、前記本編部分に関する要素識別子のみであり、
前記特典部分に含まれる要素識別子は、前記特典部分に関する要素識別子のみであり、
前記本編利用ステップおよび前記特典利用ステップでは、前記本編部分および前記特典部分をそれぞれ、前記要素識別子に基づいて前記暗号化コンテンツから抽出して利用することを特徴とする請求項３５に記載のコンテンツ利用方法。
【請求項４２】
１つのファイルとして配信されてきた前記暗号化コンテンツを、前記本編部分を含むファイル、および前記特典部分を含むファイルに分けて蓄積するコンテンツ蓄積ステップを備え、
前記本編利用ステップでは、蓄積された前記本編部分を含むファイルを利用し、
前記特典利用ステップでは、蓄積された前記特典部分を含むファイルを利用することを特徴とする請求項３５に記載のコンテンツ利用方法。
【請求項４３】
前記本編部分および前記特典部分が互いに異なるファイルとして配信されてきた前記暗号化コンテンツを、１つのファイルとして蓄積するコンテンツ蓄積ステップを備え、
前記本編利用ステップおよび前記特典利用ステップでは、蓄積された前記１つのファイルを利用することを特徴とする請求項３５に記載のコンテンツ利用方法。
【請求項４４】
前記第２の限定ライセンスには、前記暗号化コンテンツにおける前記特典部分のデータ開始点位置情報が含まれており、
前記特典利用ステップでは、前記データ開始点位置情報に基づいて、前記暗号化コンテンツから前記特典部分を抽出して利用することを特徴とする請求項３５に記載のコンテンツ利用方法。
【請求項４５】
前記本編部分を前記特典部分よりも先にダウンロードするコンテンツ受信ステップを備えたことを特徴とする請求項３５に記載のコンテンツ利用方法。
【請求項４６】
前記第１の限定ライセンスには、利用期間が限定された前記本編部分の利用許諾が含まれ、
前記第２の限定ライセンスには、利用期限無しの前記本編部分の利用許諾が含まれ、
前記第２の限定ライセンス取得時に、前記第１の限定ライセンスを前記第２の限定ライセンスに置き換えるライセンス取得ステップを備えたことを特徴とする請求項３５に記載のコンテンツ利用方法。
【請求項４７】
請求項３５〜４６のいずれかに記載のコンテンツ利用方法で利用される前記暗号化コンテンツを配信することを特徴とするコンテンツ配信方法。
【請求項４８】
請求項３６に記載のコンテンツ利用方法の、前記第１の限定ライセンスに基づいて前記本編部分を視聴させる前記本編利用ステップと、前記第２の限定ライセンスに基づいて前記特典部分を視聴させる前記特典利用ステップとを、コンピュータに実行させるためのプログラム。
【請求項４９】
請求項４８に記載のプログラムを記録した記録媒体であって、コンピュータで利用可能な記録媒体。
【発明の詳細な説明】
【技術分野】
【０００１】
本発明は、ネットワーク経由で映像や音声コンテンツをダウンロードして再生することのできる、ダウンロード端末、サーバ、コンテンツ配信システム、コンテンツ利用方法およびコンテンツ配信方法等に関する。
【背景技術】
【０００２】
近年、インターネットの発達により、映画や音楽等をダウンロードして再生する技術が一般化しつつある。映画や音楽等のコンテンツ配信を行うサーバから、ＰＣ、ＡＶ機器、携帯端末やポータブル機器にネットワーク経由でコンテンツをダウンロードするサービスが多く提供されている。
【０００３】
この様なコンテンツ配信サービスにＤＲＭ技術を適用することにより、視聴期限を限って視聴を許可する、コンテンツのレンタルシステムを実現することができた。この種のレンタルシステムとしては、例えば、特許文献１に記載されているようなものがあった。
【０００４】
図１３は、従来のレンタルシステムの構成を示した図である。
【０００５】
図１３において、インターネット網１０３を介して、家庭内のダウンロード端末１０４から、レンタル事業者が所有する事業者ｗｅｂサーバ１００、ダウンロードコンテンツサーバ１０１およびＤＲＭサーバ１０２にアクセス可能である。
【０００６】
事業者ｗｅｂサーバ１００は、レンタル事業者がユーザに対してレンタルコンテンツを提示するｗｅｂサーバである。またダウンロードコンテンツサーバ１０１は、ダウンロード端末１０４からの要求に対して、暗号化されたＡＶコンテンツを提供するダウンロードコンテンツのサーバである。また、ＤＲＭサーバ１０２は、ダウンロード端末１０４がダウンロードした暗号化コンテンツを復号するための復号鍵を提供するサーバである。また、ダウンロード端末１０４にはＴＶ１０５が接続されており、視聴者はダウンロードしたコンテンツをＴＶ１０５上で視聴する。
【０００７】
このようなレンタルシステムの動作を、図１３〜図１６に従って説明する。
【０００８】
図１５は、ダウンロード端末１０４の内部を示すブロック図である。
【０００９】
購入コンテンツ選択部１０７、ダウンロード実行部１１２およびＤＲＭクライアント１１４が、ネットワークＩ／Ｆ１０６を介してインターネット網１０３に接続されている。購入コンテンツ選択部１０７は、ユーザからの指示（図示せず）があると、事業者ｗｅｂサーバ１００に対して購入コンテンツリスト要求１０８を発行することにより、コンテンツリストページ１０９を取得するとともに、その内容をユーザに提示する。ユーザはこの購入コンテンツリストページ１０９を閲覧して、購入するコンテンツを決定する。ユーザが購入するコンテンツを決定すると、コンテンツ購入要求１１０が購入コンテンツ選択部１０７から事業者ｗｅｂサーバ１００に送信され、これを受けた事業者ｗｅｂサーバ１００は、購入コンテンツ選択部１０７に対して、要求されたコンテンツに対するコンテンツ視聴ライセンス１１１を発行する。
【００１０】
図１４は、事業者ｗｅｂサーバ１００が発行するコンテンツ視聴ライセンス１１１のデータ構造を示す図である。コンテンツ視聴ライセンス１１１は、コンテンツタイトル１１９、ライセンスＩＤ１２０、コンテンツリファレンスＩＤ（ＣＲＩＤ）１２１、ライセンス種別１２２、視聴期間１２３、コンテンツＵＲＩ１２４およびＤＲＭサーバＵＲＩ１２５のデータで構成される。
【００１１】
購入コンテンツ選択部１０７は、取得したコンテンツ視聴ライセンス１１１を、ＨＤＤ１８０内のライセンスリスト１１５に含めて保存するとともに、ダウンロード実行部１１２に対して、ダウンロード命令１３０を発行する。このダウンロード命令１３０には、先ほど取得したコンテンツ視聴ライセンス１１１に含まれていたライセンスＩＤ１２０を含んでいる。
【００１２】
ダウンロード命令１３０を受けたダウンロード実行部１１２は、ＨＤＤ１８０上に保存されているライセンスリスト１１５を読み出し、購入コンテンツ選択部１０７から指定されたライセンスＩＤ１２０を持つコンテンツ視聴ライセンス１１１を見つけるとともに、これに含まれているコンテンツＵＲＩ１２４から、ダウンロードコンテンツサーバ１０１のアクセス先情報を取得する。ダウンロード実行部１１２は、ダウンロードコンテンツサーバ１０１に対して、コンテンツＵＲＩ１２４で指定されたコンテンツのコンテンツ取得要求１３１を発行し、ダウンロードコンテンツサーバ１０１から暗号化コンテンツ１３２をダウンロードするとともに、取得した暗号化コンテンツ１３２をＨＤＤ１８０に保存する。この際に、取得した暗号化コンテンツ１３２は、コンテンツ視聴ライセンス１１１の中のライセンスＩＤ１２０に対応付けられて保存される。
【００１３】
視聴コンテンツ選択部１１３は、ユーザが視聴するコンテンツを選ぶためのブロックであり、ユーザからの指示（図示せず）があると、ＨＤＤ１８０上に蓄積されているライセンスリスト１１５を読み出して、視聴可能なコンテンツの一覧をユーザに提示する。また視聴コンテンツ選択部１１３は、ユーザの選択したコンテンツに対応するコンテンツ視聴ライセンス１１１をライセンスリスト１１５から検索して読み出し、当該コンテンツに対応する復号鍵要求１３３をＤＲＭクライアント１１４に対して発行する。このとき、復号鍵要求１３３には、コンテンツ視聴ライセンス１１１から読み出したライセンスＩＤ１２０、コンテンツリファレンスＩＤ（ＣＲＩＤ）１２１およびＤＲＭサーバＵＲＩ１２５が含まれる。
【００１４】
復号鍵要求１３３を受けたＤＲＭクライアント１１４は、ＤＲＭサーバＵＲＩ１２５に基づいてＤＲＭサーバ１０２のアクセス先を識別し、ＤＲＭサーバ１０２との間で認証鍵交換処理１１６を実行する。ＤＲＭクライアント１１４は、認証鍵交換処理１１６で確立した暗号化通信経路上で、ＤＲＭサーバ１０２に対して復号鍵要求１１７を発行する。この復号鍵要求１１７には、視聴コンテンツ選択部１１３から取得したライセンスＩＤ１２０と、コンテンツリファレンスＩＤ（ＣＲＩＤ）１２１とが含まれる。
【００１５】
ＤＲＭクライアント１１４からの復号鍵要求１１７を受信したＤＲＭサーバ１０２は、指定されたコンテンツの復号鍵１１８をＤＲＭクライアント１１４に返送する。
【００１６】
ＤＲＭクライアント１１４が取得した復号鍵１１８は視聴コンテンツ選択部１１３に返送され、視聴コンテンツ選択部１１３は復号鍵１１８を復号機１４０にセットするとともに、ＨＤＤ１８０上に保存する。
【００１７】
視聴コンテンツ選択部１１３は、復号機１４０に対して復号命令１４１を発行する。この復号命令１４１には、ライセンスＩＤ１２０が含まれる。復号命令１４１を受けた復号機１４０は、受け取ったライセンスＩＤ１２０をもとに、対応する暗号化コンテンツ１３２をＨＤＤ１８０上から読み出し、セットされている復号鍵１１８を用いてこれを復号して復号コンテンツ１４２を出力する。復号コンテンツ１４２はＡＶデコーダ１４３に入力され、ＴＶ視聴に適した信号形式にデコードされてＴＶ出力１４４として出力される。
【００１８】
また、ダウンロード端末１０４上では、光ディスクや半導体メモリのような着脱可能メディアにコンテンツを書き出すこともできる。
【００１９】
ダウンロード端末１０４における着脱可能メディアへのコンテンツ書き出しサービスの一形態として、期間限定のコンテンツ視聴が可能なコンテンツ視聴ライセンスを取得して、ダウンロードしたコンテンツに対して、よりコンテンツ利用権利の広い「書き出しライセンス」が付与される契約形態へ更新することで、メディアへの書き出しを許諾する形態が考えられる。すなわち、サービス事業者としては、視聴期間が決められた単価の安いコンテンツ視聴ライセンスのみの契約形態から、単価の高い「書き出しライセンス」を含んだ契約形態へ更新させることで利潤拡大が可能であるし、ユーザにとっても、ライセンスを更新してコンテンツをメディアに焼くことで、コンテンツの永続視聴ができ、またダウンロード端末１０４以外でもコンテンツが視聴可能になるというメリットを享受できる。
【００２０】
メディアへの書き出しサービスを行うために、ダウンロード端末１０４は、ユーザからの指示によって書き出し先のメディア種別に応じて出力制御情報の設定された書き出し用の復号鍵１１８１を上記と同様の手段でＤＲＭサーバ１０２から取得し、復号機１４０にセットする。そして、視聴コンテンツ選択部１１３が、復号機１４０に対して復号命令１４１を発行する。この復号命令１４１には、ライセンスＩＤ１２０が含まれており、復号命令１４１を受けた復号機１４０は、そのライセンスＩＤ１２０をもとに、対応する暗号化コンテンツをＨＤＤ１８０上から読み出し、セットされている書き出し用の復号鍵１１８１を用いてこれを復号して復号コンテンツ１４２を出力する。この復号コンテンツ１４２は、メディアドライブ１４５に入力され、メディア毎に適したデータ形式でメディアに記録される。
【００２１】
図１６は、事業者ｗｅｂサーバ１００、ダウンロードコンテンツサーバ１０１およびＤＲＭサーバ１０２における、データ共有およびデータ生成を示す図である。
【００２２】
ダウンロードコンテンツサーバ１０１には、事業者ｗｅｂサーバ１００によってユーザに提示される、購入可能なコンテンツのリストに対応したコンテンツソース１７２が格納されている。これらのコンテンツソース１７２には個々にコンテンツリファレンスＩＤ（ＣＲＩＤ）１２１が割り振られている。暗号化機１７３は、コンテンツソース１７２を暗号化する暗号機であり、暗号鍵１８１の一覧から取り出した暗号鍵１８１を用いて個々のコンテンツソース１７２を暗号化し、暗号化コンテンツ１３２として保存する。この際にダウンロードコンテンツサーバ１０１は、コンテンツリファレンスＩＤ（ＣＲＩＤ）１２１と、暗号鍵１８１との対応表である暗号鍵リスト１５１を作成し、これをＤＲＭサーバ１０２との間で、セキュアな通信手段（図示せず）によって共有する。
【００２３】
事業者ｗｅｂサーバ１００では、ダウンロード端末１０４からのコンテンツ購入要求１１０に応じて発行したコンテンツ視聴ライセンス１１１を全て発行済みライセンスリスト１５０として保存しており、この発行済みライセンスリスト１５０はＤＲＭサーバ１０２との間でセキュアな通信路（図示せず）を介して共有される。
【００２４】
ＤＲＭサーバ１０２は、ダウンロード端末１０４からの復号鍵要求１１７に応じて、復号鍵１１８を生成し、返送する。この復号鍵１１８には、復号鍵の有効期間、すなわち、視聴のためにこの復号鍵１１８を利用することが許諾される期間が、絶対日時で記されている。ＤＲＭサーバ１０２は、この視聴期間を決定するに際して、復号鍵要求１１７に含まれるライセンスＩＤ１２０をもとに発行済みライセンスリスト１５０を検索し、当該コンテンツの視聴期間（たとえば７日間有効など）を取得するとともに、復号鍵要求１１７を受信した現在時刻とあわせて、復号鍵１１８の有効期間を決定する。具体例としては、復号鍵要求１１７を受信した日時が、２００７年７月５日１０時００分であった場合には、復号鍵１１８の視聴有効期間として、２００７年７月５日１０時００分〜２００７年７月１２日１０時００分を設定し、暗号鍵とともに復号鍵１１８としてダウンロード端末１０４に返送する。
【００２５】
図１７は、以上の動作を時系列に沿って模式的に表したシーケンス図である。図中の各符号は図１３、図１５および図１６で用いた各符号に対応している。
【００２６】
ダウンロード端末１０４において、ユーザからの再生要求１６１が発生した時刻がｔ１であり、復号されたコンテンツがＴＶ出力１４４として出画開始される時刻がｔ２である。
【００２７】
以上に説明したように、ダウンロード端末１０４においては、事業者ｗｅｂサーバ１００から取得したコンテンツ視聴ライセンス１１１に基づいて、ダウンロードコンテンツサーバ１０１から暗号化コンテンツ１３２を取得するとともに、視聴時においてはＤＲＭサーバ１０２に復号鍵要求１１７を発行して、復号鍵１１８を取得し、コンテンツを復号して視聴を実現する。また、ＤＲＭサーバ１０２においては、この復号鍵１１８の生成の際に、ダウンロード端末１０４から復号鍵要求１１７を受信した時刻に基いてコンテンツの視聴有効期間を決定する。ダウンロード端末１０４では、ＤＲＭサーバ１０２から取得した復号鍵１１８をＨＤＤ１８０上に保存し、視聴有効期間内であれば、ＤＲＭサーバ１０２に再度アクセスすることなく、当該コンテンツの視聴を行うことができる。
【００２８】
図１８は、レンタルシステムでダウンロード端末１０４が取得した暗号化コンテンツ１３２を、メディアへ書き出しする際の動作を時系列に沿って模式的に表したシーケンス図である。図中の各符号は図１３、図１５および図１６で用いた各符号に対応している。また、図１８に示す斜線部は、各ライセンスの存在期間を表している。
【００２９】
ダウンロード端末１０４が、事業者ｗｅｂサーバ１００からコンテンツ視聴ライセンス１１１を取得して、ダウンロードコンテンツサーバ１０１からダウンロードした暗号化コンテンツ１３２をＨＤＤ１８０に蓄積するまでのシーケンスは、図１７と同様である。
【００３０】
その後、事業者ｗｅｂサーバ１００に対して購入済コンテンツリスト要求１０８１を発行することにより、購入済コンテンツリストページ１０９１を取得するとともに、その内容をユーザに提示する。ユーザは、この購入済コンテンツリストページ１０９１を閲覧し、メディア書き出しのために「書き出しライセンス」に更新するコンテンツを決定する。ユーザが「書き出しライセンス」に更新するコンテンツを決定すると、ライセンス更新要求１３４が購入コンテンツ選択部１０７から事業者ｗｅｂサーバ１００に送信され、これを受けた事業者ｗｅｂサーバ１００は、購入コンテンツ選択部１０７に対して、要求されたコンテンツに対する書き出しライセンス１３５を発行する。そして、ダウンロード端末１０４は、コンテンツ視聴ライセンス１１１と同様の方法で、発行された書き出しライセンス１３５をＨＤＤ１８０内のコンテンツリスト１１５に含めて保存する。
【００３１】
図１６に示すように、事業者ｗｅｂサーバ１００では、ダウンロード端末１０４からのライセンス更新要求１３４に応じて発行した書き出しライセンス１３５も、発行済みライセンスリスト１５０に含めて保存し、ＤＲＭサーバ１０２との間でセキュアな通信路（図示せず）を介して共有される。
【００３２】
その後、ダウンロード端末１０４は、ＤＲＭサーバ１０２に書き出し用の復号鍵要求１１７１を発行して、書き出し用の復号鍵１１８１を取得し、復号機１４０でコンテンツを復号してメディアへの書き出しを実現する。メディアドライブ１４５におけるコンテンツの書き出し処理の成功後、ダウンロード端末１０４から書き出しライセンス１３５と書き出し用の復号鍵１１８１が削除される。
【特許文献１】特開２００１−３０９３３２号公報
【発明の開示】
【発明が解決しようとする課題】
【００３３】
しかしながら、上記従来のレンタルシステムで書き出しライセンスを用いた処理を実現する場合には、「書き出しライセンス」に更新した際の特典として期間限定のコンテンツを提供することができなかった。
【００３４】
この課題について、以下に具体的に説明する。
【００３５】
書き出しライセンスの取得によって、ダウンロード端末１０４では暗号化コンテンツをメディアに書き出すことが可能になり、そのメディアに書き出されたコンテンツはＤＲＭの管理下から外れて永続利用が可能となる。
【００３６】
書き出しライセンスに更新した際の特典として特典コンテンツをユーザに提供すると、その特典コンテンツも、書き出しライセンスに更新した暗号化コンテンツと同じライセンスによって管理されるので、メディアに書き出すことが可能となり、メディアに書き出された特典コンテンツもＤＲＭの管理下から外れて永続利用が可能となる。
【００３７】
したがって、ユーザに永続利用されたくないコンテンツ、例えばレンタルＣＤで貸し出しを実施中の映画のサウンドトラックＣＤ相当の音楽データなどを特典として付与してしまうと、ユーザはこれを永続的に利用できるため、レンタルＣＤの売り上げに悪影響を及ぼす可能性が大きい。
【００３８】
そのため、従来のレンタルシステムにおいて「書き出しライセンス」に更新した際に提供できる特典コンテンツは、永続利用が可能なものに限られてしまい、ユーザにとって魅力のある特典付加サービスの実現が困難であった。
【００３９】
本発明は、上記従来の課題を考慮して、書き出しライセンスに更新した際に期間限定の特典コンテンツを提供できるダウンロード端末、サーバ、コンテンツ配信システム、コンテンツ利用方法およびコンテンツ配信方法等を提供することを目的とする。
【課題を解決するための手段】
【００４０】
上述した課題を解決するために、第１の本発明は、
コンテンツサーバから配信される暗号化コンテンツを蓄積するダウンロード端末であって、
前記暗号化コンテンツには、第１の限定ライセンスに基づいて利用が許諾される本編部分と、前記本編部分に対する外部書き出しライセンスの取得に伴って使用可能となる第２の限定ライセンスに基づいて利用が許諾される特典部分とが含まれており、
前記第１の限定ライセンスに基づいて前記本編部分を利用する本編利用ユニットと、
前記第２の限定ライセンスに基づいて前記特典部分を利用する特典利用ユニットとを備えたことを特徴とするダウンロード端末である。
【００４１】
また、第２の本発明は、
前記本編利用ユニットは、前記第１の限定ライセンスに基づいて前記本編部分を視聴させ、
前記特典利用ユニットは、前記第２の限定ライセンスに基づいて前記特典部分を視聴させる、第１の本発明のダウンロード端末である。
【００４２】
また、第３の本発明は、
前記本編部分と前記特典部分とが単一ファイルに含まれていることを特徴とする第１の本発明のダウンロード端末である。
【００４３】
また、第４の本発明は、
前記第２の限定ライセンスは、前記特典部分の利用期間を限定することを特徴とする第１の本発明のダウンロード端末である。
【００４４】
また、第５の本発明は、
前記特典利用ユニットが前記第２の限定ライセンスに基づいて前記特典部分を利用するとは、前記特典部分を前記ダウンロード端末上でのみ利用すること、または、前記特典部分を許諾された視聴用暗号化出力として出力することである、第１の本発明のダウンロード端末である。
【００４５】
また、第６の本発明は、
前記特典部分は、前記本編部分の後に置かれていることを特徴とする第３の本発明のダウンロード端末である。
【００４６】
また、第７の本発明は、
前記暗号化コンテンツは、映像コンテンツおよび映像音声コンテンツの少なくともいずれか一方を含み、
前記本編部分および前記特典部分の少なくとも一部分は、時間軸多重されており、
前記本編部分に含まれる要素識別子は、前記本編部分に関する要素識別子のみであり、
前記特典部分に含まれる要素識別子は、前記特典部分に関する要素識別子のみであることを特徴する第１の本発明のダウンロード端末である。
【００４７】
また、第８の本発明は、
１つのファイルとして配信されてきた前記暗号化コンテンツを、前記本編部分を含むファイル、および前記特典部分を含むファイルに分けて蓄積するコンテンツ蓄積部を備えたことを特徴とする第１の本発明のダウンロード端末である。
【００４８】
また、第９の本発明は、
前記本編部分および前記特典部分が互いに異なるファイルとして配信されてきた前記暗号化コンテンツを、１つのファイルとして蓄積するコンテンツ蓄積部を備えたことを特徴とする第１の本発明のダウンロード端末である。
【００４９】
また、第１０の本発明は、
前記第２の限定ライセンスには、少なくとも前記暗号化コンテンツにおける前記特典部分のデータ開始点位置情報、または前記特典部分が含まれる区間を示すデータ区間情報が含まれることを特徴とする第１の本発明のダウンロード端末である。
【００５０】
また、第１１の本発明は、
前記本編部分を前記特典部分よりも先にダウンロードするコンテンツ受信部を備えたことを特徴とする第１の本発明のダウンロード端末である。
【００５１】
また、第１２の本発明は、
前記第１の限定ライセンスには、利用期間が限定された前記本編部分の利用許諾が含まれ、
前記第２の限定ライセンスには、利用期限無しの前記本編部分の利用許諾が含まれ、
前記第２の限定ライセンス取得時に、前記第１の限定ライセンスを前記第２の限定ライセンスに置き換えることを特徴とする第１の本発明のダウンロード端末である。
【００５２】
また、第１３の本発明は、
暗号化コンテンツをダウンロード端末に配信するサーバであって、
前記暗号化コンテンツには、第１の限定ライセンスに基づいて前記ダウンロード端末における利用が許諾される本編部分と、前記本編部分に対する外部書き出しライセンスの送信に伴って使用可能となる第２の限定ライセンスに基づいて前記ダウンロード端末における利用が許諾される特典部分とが含まれていることを特徴とするサーバである。
【００５３】
また、第１４の本発明は、
前記第１の限定ライセンスは、前記ダウンロード端末における前記本編部分の視聴を許諾するライセンスであり、
前記第２の限定ライセンスは、前記ダウンロード端末における前記特典部分の視聴を許諾するライセンスである、第１３の本発明のサーバである。
【００５４】
また、第１５の本発明は、
前記本編部分と前記特典部分とが単一ファイルに含まれていることを特徴とする第１３の本発明のサーバである。
【００５５】
また、第１６の本発明は、
前記第２の限定ライセンスは、前記特典部分の利用期間を限定することを特徴とする第１３の本発明のサーバである。
【００５６】
また、第１７の本発明は、
前記第２の限定ライセンスに基づいた前記ダウンロード端末における利用とは、前記特典部分を前記ダウンロード端末上でのみ利用すること、または、前記特典部分を許諾された視聴用暗号化出力として出力することである、第１３の本発明のサーバである。
【００５７】
また、第１８の本発明は、
前記特典部分は、前記本編部分の後に置かれていることを特徴とする第１５の本発明のサーバである。
【００５８】
また、第１９の本発明は、
前記暗号化コンテンツは、映像コンテンツおよび映像音声コンテンツの少なくともいずれか一方を含み、
前記本編部分および前記特典部分の少なくとも一部分は、時間軸多重されており、
前記第２の限定ライセンスには、前記暗号化コンテンツにおける前記特典部分の要素識別子が含まれることを特徴とする第１３の本発明のサーバである。
【００５９】
また、第２０の本発明は、
前記第２の限定ライセンスには、少なくとも前記暗号化コンテンツにおける前記特典部分のデータ開始点位置情報、または前記特典部分が含まれる区間を示すデータ区間情報が含まれることを特徴とする第１３の本発明のサーバである。
【００６０】
また、第２１の本発明は、
前記本編部分を前記特典部分よりも先に配信することを特徴とする第１３の本発明のサーバである。
【００６１】
また、第２２の本発明は、
前記第１の限定ライセンスには、利用期間が限定された前記本編部分の利用許諾が含まれ、
前記第２の限定ライセンスには、利用期限無しの前記本編部分の利用許諾が含まれ、
前記第２の限定ライセンスを前記ダウンロード端末に発行した際に、前記ダウンロード端末において前記第１の限定ライセンスが前記第２の限定ライセンスで置き換えられることを特徴とする第１３の本発明のサーバである。
【００６２】
また、第２３の本発明は、
少なくとも、暗号化コンテンツをダウンロード端末に配信するコンテンツ配信サーバと、前記暗号化コンテンツの利用許諾ライセンスを発行するライセンスサーバとを備えたコンテンツ配信システムであって、
前記暗号化コンテンツには、少なくとも本編部分および特典部分が含まれており、
前記ライセンスサーバは、前記ダウンロード端末からの第１のライセンス要求に応じて、前記本編部分を期間限定で利用可能にする前記第１の限定ライセンスを前記ダウンロード端末に発行し、前記ダウンロード端末からの第２のライセンス要求に応じて、前記本編部分を前記ダウンロード端末外部に書き出し可能にする外部書き出しライセンス、および前記特典部分の限定的な利用を許諾する前記第２の限定ライセンスを前記ダウンロード端末に発行することを特徴とするコンテンツ配信システムである。
【００６３】
また、第２４の本発明は、
前記第１の限定ライセンスは、期間限定で前記ダウンロード端末における前記本編部分の視聴を許諾するライセンスであり、
前記第２の限定ライセンスは、前記ダウンロード端末における前記特典部分の限定的な視聴を許諾するライセンスである、第２３の本発明のコンテンツ配信システムである。
【００６４】
また、第２５の本発明は、
前記コンテンツ配信サーバは、単一ファイルに含まれている前記本編部分および前記特典部分を配信することを特徴とする第２３の本発明のコンテンツ配信システムである。
【００６５】
また、第２６の本発明は、
前記コンテンツ配信サーバは、前記第２の限定ライセンスによって利用期間が限定される前記特典部分を配信することを特徴とする第２３の本発明のコンテンツ配信システムである。
【００６６】
また、第２７の本発明は、
前記コンテンツ配信サーバは、前記第２の限定ライセンスに基づいて前記ダウンロード端末上でのみ利用可能となる前記特典部分を配信することを特徴とする第２３の本発明のコンテンツ配信システムである。
【００６７】
また、第２８の本発明は、
前記コンテンツ配信サーバと、前記ライセンスサーバとが一体化していることを特徴とする第２３の本発明のコンテンツ配信システムである。
【００６８】
また、第２９の本発明は、
前記コンテンツ配信サーバは、前記特典部分を前記本編部分の後で配信することを特徴とする第２５の本発明のコンテンツ配信システムである。
【００６９】
また、第３０の本発明は、
前記暗号化コンテンツは、映像コンテンツおよび映像音声コンテンツの少なくともいずれか一方を含み、
前記コンテンツ配信サーバは、前記本編部分および前記特典部分の少なくとも一部分を時間軸多重し、前記本編部分には要素識別子として前記本編部分に関する要素識別子のみを含め、前記特典部分には要素識別子として前記特典部分に関する要素識別子のみを含めて配信することを特徴する第２３の本発明のコンテンツ配信システムである。
【００７０】
また、第３１の本発明は、
前記ライセンスサーバは、前記暗号化コンテンツにおける前記特典部分の要素識別子を含む前記第２の限定ライセンスを発行し、
前記コンテンツ配信サーバが配信する前記暗号化コンテンツには、映像コンテンツおよび映像音声コンテンツの少なくともいずれか一方が含まれており、
前記コンテンツ配信サーバは、前記本編部分および前記特典部分の少なくとも一部分を時間軸多重して配信することを特徴とする第２３の本発明のコンテンツ配信システムである。
【００７１】
また、第３２の本発明は、
前記第２の限定ライセンスには、前記暗号化コンテンツにおける前記特典部分のデータ開始点位置情報が含まれることを特徴とする第２３の本発明のコンテンツ配信システムである。
【００７２】
また、第３３の本発明は、
前記コンテンツ配信サーバは、前記本編部分を前記特典部分よりも先に配信することを特徴とする第２３の本発明のコンテンツ配信システムである。
【００７３】
また、第３４の本発明は、
前記第１の限定ライセンスは、利用期間が限定された前記本編部分の利用許諾を含み
前記第２の限定ライセンスは、利用期限無しの前記本編部分の利用許諾を含み、
前記ライセンスサーバが前記第２の限定ライセンスを前記ダウンロード端末に発行した際に、前記ダウンロード端末において前記第１の限定ライセンスが前記第２の限定ライセンスで置き換えられることを特徴とする第２３の本発明のコンテンツ配信システムである。
【００７４】
また、第３５の本発明は、
コンテンツサーバから配信される暗号化コンテンツを利用するコンテンツ利用方法であって、
前記暗号化コンテンツには、第１の限定ライセンスに基づいて利用が許諾される本編部分と、前記本編部分に対する外部書き出しライセンスの取得に伴って使用可能となる第２の限定ライセンスに基づいて利用が許諾される特典部分とが含まれており、
前記第１の限定ライセンスに基づいて前記本編部分を利用する本編利用ステップと、
前記第２の限定ライセンスに基づいて前記特典部分を利用する特典利用ステップとを備えたことを特徴とするコンテンツ利用方法である。
【００７５】
また、第３６の本発明は、
前記本編利用ステップでは、前記第１の限定ライセンスに基づいて前記本編部分を視聴させ、
前記特典利用ステップでは、前記第２の限定ライセンスに基づいて前記特典部分を視聴させる、第３５の本発明のコンテンツ利用方法である。
【００７６】
また、第３７の本発明は、
前記本編利用ステップおよび前記特典利用ステップでは、単一ファイルに含まれている前記本編部分および前記特典部分をそれぞれ利用することを特徴とする第３５の本発明のコンテンツ利用方法である。
【００７７】
また、第３８の本発明は、
前記第２の限定ライセンスは、前記特典部分の利用期間を限定することを特徴とする第３５の本発明のコンテンツ利用方法である。
【００７８】
また、第３９の本発明は、
前記特典利用ステップにおいて前記第２の限定ライセンスに基づいて前記特典部分を利用するとは、前記特典部分が配信されたダウンロード端末上で利用すること、または、許諾された視聴用暗号化出力先で前記特典部分を利用することである、第３５の本発明のコンテンツ利用方法である。
【００７９】
また、第４０の本発明は、
前記特典部分を前記本編部分の後に置いて利用することを特徴とする第３７の本発明のコンテンツ利用方法である。
【００８０】
また、第４１の本発明は、
前記暗号化コンテンツは、映像コンテンツおよび映像音声コンテンツの少なくともいずれか一方を含み、
前記本編部分および前記特典部分の少なくとも一部分は、時間軸多重されており、
前記本編部分に含まれる要素識別子は、前記本編部分に関する要素識別子のみであり、
前記特典部分に含まれる要素識別子は、前記特典部分に関する要素識別子のみであり、
前記本編利用ステップおよび前記特典利用ステップでは、前記本編部分および前記特典部分をそれぞれ、前記要素識別子に基づいて前記暗号化コンテンツから抽出して利用することを特徴とする第３５の本発明のコンテンツ利用方法である。
【００８１】
また、第４２の本発明は、
１つのファイルとして配信されてきた前記暗号化コンテンツを、前記本編部分を含むファイル、および前記特典部分を含むファイルに分けて蓄積するコンテンツ蓄積ステップを備え、
前記本編利用ステップでは、蓄積された前記本編部分を含むファイルを利用し、
前記特典利用ステップでは、蓄積された前記特典部分を含むファイルを利用することを特徴とする第３５の本発明のコンテンツ利用方法である。
【００８２】
また、第４３の本発明は、
前記本編部分および前記特典部分が互いに異なるファイルとして配信されてきた前記暗号化コンテンツを、１つのファイルとして蓄積するコンテンツ蓄積ステップを備え、
前記本編利用ステップおよび前記特典利用ステップでは、蓄積された前記１つのファイルを利用することを特徴とする第３５の本発明のコンテンツ利用方法である。
【００８３】
また、第４４の本発明は、
前記第２の限定ライセンスには、前記暗号化コンテンツにおける前記特典部分のデータ開始点位置情報が含まれており、
前記特典利用ステップでは、前記データ開始点位置情報に基づいて、前記暗号化コンテンツから前記特典部分を抽出して利用することを特徴とする第３５の本発明のコンテンツ利用方法である。
【００８４】
また、第４５の本発明は、
前記本編部分を前記特典部分よりも先にダウンロードするコンテンツ受信ステップを備えたことを特徴とする第３５の本発明のコンテンツ利用方法である。
【００８５】
また、第４６の本発明は、
前記第１の限定ライセンスには、利用期間が限定された前記本編部分の利用許諾が含まれ、
前記第２の限定ライセンスには、利用期限無しの前記本編部分の利用許諾が含まれ、
前記第２の限定ライセンス取得時に、前記第１の限定ライセンスを前記第２の限定ライセンスに置き換えるライセンス取得ステップを備えたことを特徴とする第３５の本発明のコンテンツ利用方法である。
【００８６】
また、第４７の本発明は、
第３５〜第４６のいずれかの本発明のコンテンツ利用方法で利用される前記暗号化コンテンツを配信することを特徴とするコンテンツ配信方法である。
【００８７】
また、第４８の本発明は、
第３６の本発明のコンテンツ利用方法の、前記第１の限定ライセンスに基づいて前記本編部分を視聴させる前記本編利用ステップと、前記第２の限定ライセンスに基づいて前記特典部分を視聴させる前記特典利用ステップとを、コンピュータに実行させるためのプログラムである。
【００８８】
また、第４９の本発明は、
第４８の本発明のプログラムを記録した記録媒体であって、コンピュータで利用可能な記録媒体である。
【発明の効果】
【００８９】
本発明により、書き出しライセンスに更新した際に期間限定の特典コンテンツを提供することができるダウンロード端末、サーバ、コンテンツ配信システム、コンテンツ利用方法およびコンテンツ配信方法等を提供できる。
【発明を実施するための最良の形態】
【００９０】
以下に、本発明の実施の形態について、図面を参照しながら説明する。
【００９１】
（実施の形態１）
図１に、本発明の実施の形態１のレンタルシステムの構成図を示す。図１３に示した従来のレンタルシステムと同じ構成部分には、同じ符号を用いている。なお、本実施の形態１のレンタルシステムが、本発明のコンテンツ配信システムの一例にあたる。
【００９２】
本実施の形態１のレンタルシステムは、インターネット網１０３を介して、家庭内のダウンロード端末２０４から、レンタル事業者が所有する事業者ｗｅｂサーバ１００、ダウンロードコンテンツサーバ２０３およびＤＲＭサーバ１０２にアクセス可能である。
【００９３】
図１３に示した従来のレンタルシステムと同様の構成であるが、ダウンロード端末２０４およびダウンロードコンテンツサーバ２０３の構成が、従来のレンタルシステムと異なる。
【００９４】
事業者ｗｅｂサーバ１００は、レンタル事業者がユーザに対してレンタルコンテンツを提示するｗｅｂサーバである。またダウンロードコンテンツサーバ２０３は、ダウンロード端末２０４からの要求に対して、暗号化されたＡＶコンテンツを提供するダウンロードコンテンツのサーバである。また、ＤＲＭサーバ１０２は、ダウンロード端末２０４がダウンロードした暗号化コンテンツを復号するための復号鍵を提供するサーバである。また、ダウンロード端末２０４にはＴＶ１０５が接続されており、視聴者はダウンロードしたコンテンツをＴＶ１０５上で視聴する。
【００９５】
なお、ダウンロードコンテンツサーバ２０３が、本発明のコンテンツ配信サーバの一例にあたり、ＤＲＭサーバ１０２が、本発明のライセンスサーバの一例にあたる。
【００９６】
以下に、図１〜図９を用いて、ダウンロード端末２０４およびダウンロードコンテンツサーバ２０３の構成を、本実施の形態１のレンタルシステムの動作とともに説明する。
【００９７】
本実施の形態１のレンタルシステムでは、ユーザが書き出しライセンスに更新する際に付与する特典コンテンツに対する利用許諾のライセンスを、本編部分のコンテンツに対するライセンスと別に設けて、その特典コンテンツ用のライセンスによって特典コンテンツの利用を制御するようにした点が、従来のレンタルシステムの場合と異なる。
【００９８】
図２は、本実施の形態１の事業者ｗｅｂサーバ１００が発行するコンテンツ視聴ライセンス１７０のデータ構造を示している。コンテンツ視聴ライセンス１７０は、コンテンツタイトル１１９、ライセンスＩＤ１２０、コンテンツリファレンスＩＤ（ＣＲＩＤ）１２１、ライセンス種別１２２、視聴期間１２３、コンテンツＵＲＩ１２４、ＤＲＭサーバＵＲＩ１２５、映像ＰＩＤ１２６および音声ＰＩＤ１２７のデータで構成される。
【００９９】
映像ＰＩＤ１２６および音声ＰＩＤ１２７は、暗号化コンテンツがＭＰＥＧ  ＴＳ形式であり時間軸多重化されていた場合に、映像データおよび音声データを含むＰＥＳ（Ｐａｃｋｅｔｉｚｅｄ  Ｅｌｅｍｅｎｔａｒｙ  Ｓｔｒｅａｍ）を識別するために使用される要素識別子の一つであり、ＰＩＤ（パケット識別子）を用いて多重化されたストリームから目的のデータが含まれるＴＳストリームパケットを取り出すために用いられる。
【０１００】
したがって、暗号化コンテンツが時間軸多重化されたデータで無い場合には、映像ＰＩＤ１２６および音声ＰＩＤ１２７は必要なく、その場合の本実施の形態１で使用されるコンテンツ視聴ライセンス１７０の構成は、図１４に示した従来のコンテンツ視聴ライセンス１１１と同じ構成となる。
【０１０１】
上述したように、本実施の形態１では、本編部分のコンテンツの視聴許諾をするためのコンテンツ視聴ライセンス１７０とは別に、特典部分のコンテンツの視聴許諾をするための特典視聴ライセンス１３８を設けている。
【０１０２】
図３（ａ）〜（ｃ）は、本実施の形態１のレンタルシステムで使用可能な特典視聴ライセンス１３８の、３種類のパターンのデータ構造例を示した図である。
【０１０３】
図３（ａ）のデータ構造例では、図１４に示した通常のコンテンツ視聴ライセンス１１１の構成要素に加えて、特典開始位置オフセット１９１を設けている。
【０１０４】
この場合は、暗号化コンテンツが、１つのファイルの中に本編データとともに特典データも含まれた構造であることを前提としており、特典開始位置オフセット１９１は、暗号化コンテンツ内における特典データの開始位置を、ファイル先頭からのバイト単位のオフセットで表したものである。暗号化コンテンツのファイル内において、ファイル先頭から特典開始位置オフセット１９１直前までは特典データが含まれておらず、特典開始位置オフセット１９１以降は特典データが存在していることを示している。
【０１０５】
図３（ｂ）のデータ構造例では、図１４に示した通常のコンテンツ視聴ライセンス１１１の構成要素に加えて、特典データ区間１９２を設けている。
【０１０６】
この場合も、暗号化コンテンツが、１つのファイルの中に本編データとともに特典データも含まれた構造であることを前提としており、特典データ区間１９２は、暗号化コンテンツ内における特典データが含まれる区間を、ファイル先頭からのバイト単位のオフセットで表したものである。暗号化コンテンツのファイル内において、ファイル先頭をオフセット０とした時に、特典データ区間１９２外には特典データが含まれておらず、特典データ区間１９２内にのみ特典データが存在していることを示している。
【０１０７】
図３（ｃ）のデータ構造例では、図１４に示した通常のコンテンツ視聴ライセンス１１１の構成要素に加えて、特典ＰＩＤ１９３を設けている。
【０１０８】
この場合は、暗号化コンテンツがＭＰＥＧ  ＴＳ形式であり、特典データが時間軸多重化されていることを前提としており、特典ＰＩＤ１９３は、特典データを含むＰＥＳ（Ｐａｃｋｅｔｉｚｅｄ  Ｅｌｅｍｅｎｔａｒｙ  Ｓｔｒｅａｍ）を識別するために使用される要素識別子の一つであり、ＰＩＤ（パケット識別子）を用いて多重化されたストリームから目的のデータが含まれるＴＳストリームパケットを取り出すために用いられる。
【０１０９】
暗号化コンテンツのファイル構成に応じて、図３（ａ）〜（ｃ）のいずれかの構成の特典視聴ライセンス１３８を用いればよい。
【０１１０】
なお、コンテンツ視聴ライセンス１７０が、本発明の第１の限定ライセンスの一例にあたり、特典視聴ライセンス１３８が、本発明の第２の限定ライセンスの一例にあたる。
【０１１１】
図４（ａ）は、本実施の形態１のダウンロードコンテンツサーバ２０３の暗号化動作を模式的に表した図である。なお、図１６に示した従来のダウンロードコンテンツサーバ１０１と同じ構成部分には、同じ符号を用いている。図４（ａ）に示す本編データソース１７２とは、コンテンツの本編部分のソースデータであり、図１６に記載のコンテンツソース１７２のことである。
【０１１２】
暗号化機２０８は、暗号化コンテンツ１７４を生成するに際し、本編データソース１７２とともに特典データソース２０１を読み込む。そして、本編データソース１７２と特典データソース２０１を合成し、暗号鍵１８１の一覧から取り出した暗号鍵１８１を用いてその合成したデータを暗号化し、暗号化コンテンツファイル１７４を生成する。
【０１１３】
またこの際に、暗号化機２０８は、暗号化コンテンツファイル１７４における本編データの映像ＰＩＤ、音声ＰＩＤ、および特典開始位置オフセットを、再生制御情報リスト２０２に出力する。再生制御情報リスト２０２は、事業者ｗｅｂサーバ１００と共有され、本編データの映像ＰＩＤと音声ＰＩＤは事業者ｗｅｂサーバ１００が生成するコンテンツ視聴ライセンス１７０に、さらに特典開始位置オフセットは事業者ｗｅｂサーバ１００が生成する特典視聴ライセンス１３８に格納され、ダウンロード端末２０４に配送される。
【０１１４】
別の例として、再生制御情報リスト２０２に特典開始位置オフセットを出力する代わりに、特典データ区間や特典ＰＩＤを再生制御情報リスト２０２に出力してもよい。
【０１１５】
図４（ｂ）は、再生制御情報リスト２０２に特典データ区間を出力した場合の例を、図４（ｃ）は、再生制御情報リスト２０２に特典ＰＩＤを出力した場合の例を、それぞれ示している。これらの特典データ区間や特典ＰＩＤも、事業者ｗｅｂサーバ１００が生成するコンテンツ視聴ライセンス１７０や特典視聴ライセンス１３８に格納され、ダウンロード端末２０４に配送される。
【０１１６】
図５（ａ）〜（ｅ）は、それぞれ、暗号化機２０８によって生成される暗号化コンテンツ１７４の構成例を示している。また、図６（ａ）〜（ｄ）は、図５（ｂ）〜（ｅ）で示す暗号化コンテンツ１７４の構成例に含まれる各ＰＭＴ（Ｐｒｏｇｒａｍ  Ｍａｐ  Ｔａｂｌｅ）の一例を示した図である。
【０１１７】
図５（ａ）で示される暗号化コンテンツ１７４の構成例では、本編データの後に特典データが配置されている。図５（ａ）は、暗号化コンテンツの先頭からのオフセット０ｘ８０００Ａ０００の位置から０ｘ８０００ＦＦＦＦの位置までが特典データであることを表している。この場合、再生制御情報リスト２０２には、特典開始位置オフセットとしては０ｘ８０００Ａ０００が、特典データ区間としては０ｘ８０００Ａ０００〜０ｘ８０００ＦＦＦＦが、暗号化機２０８から出力される。
【０１１８】
図５（ｂ）で示される暗号化コンテンツ１７４の構成例では、本編データと特典データはそれぞれデータパケットに分割され、さらに時間軸多重化された形で存在している。本編データは、映像ストリームと音声ストリームで構成されるものとし、暗号化コンテンツの中では、映像ストリームはＰＩＤが０ｘ２０１のデータパケットとして、音声ストリームはＰＩＤが０ｘ２０２のデータパケットとして含まれている。同様に、特典データはＰＩＤが０ｘ７７６のデータパケットとして含まれている。これらのＰＩＤ情報は、暗号化コンテンツ１７４内のＰＭＴ（Ｐｒｏｇｒａｍ  Ｍａｐ  Ｔａｂｌｅ）に記載される。
【０１１９】
図５（ｂ）に示す暗号化コンテンツ１７４の構成例に含まれるＰＭＴ１の一例を、図６（ａ）に示す。またこの構成例の場合には、図５（ｂ）に示すように、特典データを構成するＰＩＤが０ｘ７７６のデータパケットは、本編データを構成するＰＩＤが０ｘ２０１および０ｘ２０２のデータパケットより後に、固まって多重化されている。
【０１２０】
図５（ｂ）の構成例では、暗号化コンテンツ１７４の先頭からのオフセット０ｘ８０００Ａ００００の位置以降に特典データが存在する。この場合、再生制御情報リスト２０２には、特典開始オフセットとしては０ｘ８０００Ａ０００が、特典ＰＩＤとしては０ｘ７７６が、暗号化機２０８から出力される。
【０１２１】
図５（ｃ）に示す暗号化コンテンツ１７４の別の構成例の場合も、図５（ｂ）の構成例と同様に、本編データと特典データが時間軸多重化されて存在している。
【０１２２】
図５（ｃ）の構成例の場合には、本編データを構成するＰＩＤが０ｘ２０１および０ｘ２０２のデータパケットは、特典データを構成するＰＩＤが０ｘ７７６のデータパケットに比べて、暗号化コンテンツ１７４の前の方に含まれる比率が高くなるよう構成されている。
【０１２３】
図５（ｄ）に示す暗号化コンテンツ１７４の別の構成例の場合は、本編データは本編データのみで時間軸多重化され、特典データは特典データのみで時間軸多重化されて、暗号化コンテンツ１７４の中に含まれている。本編データを構成する音声ストリームや映像ストリームのＰＩＤ情報は、本編データのみで多重化された領域に存在するＰＭＴ２に含まれる。同様に、特典データのＰＩＤ情報は、特典データのみで多重化された領域に存在するＰＭＴ３に含まれる。
【０１２４】
図６（ｂ）および図６（ｃ）に、図５（ｄ）の構成の暗号化コンテンツ１７４に含まれるＰＭＴ２およびＰＭＴ３の一例を示す。ＰＭＴ２には、映像ストリームのＰＩＤである０ｘ２０１と、音声ストリームのＰＩＤである０ｘ２０２が含まれている。ＰＭＴ３には、特典データのＰＩＤである０ｘ７７６が含まれている。この場合、再生制御情報リスト２０２には、特典ＰＩＤとしては０ｘ７７６が暗号化機２０８から出力される。
【０１２５】
図５（ｅ）に示す暗号化コンテンツ１７４の別の構成例の場合は、図５（ｄ）と同様に、本編データは本編データのみで時間軸多重化され、特典データは特典データのみで時間軸多重化されて暗号化コンテンツ１７４の中に含まれている。
【０１２６】
図５（ｅ）の構成例の場合には、特典データはさらに音声ストリームと映像ストリームから構成されており、これらのＰＩＤ情報は特典データのみで多重化された領域に存在するＰＭＴ４に含まれる。
【０１２７】
図６（ｄ）に、図５（ｅ）の構成の暗号化コンテンツ１７４に含まれるＰＭＴ４の一例を示す。ＰＭＴ４には、特典用の映像ストリームのＰＩＤである０ｘ７７１と、特典用の音声ストリームのＰＩＤである０ｘ７７２が含まれている。本編データの構成およびＰＭＴ２の内容は、図５（ｄ）および図６（ｂ）と同様である。この場合、再生制御情報リスト２０２には、特典ＰＩＤとして０ｘ７７１と０ｘ７７２が含まれる。
【０１２８】
次に、ダウンロード端末２０４が、ダウンロードコンテンツサーバ２０３から、本編部分のコンテンツと、特典部分のコンテンツをダウンロードする動作について説明する。
【０１２９】
図７は、本実施の形態１のダウンロード端末２０４の内部を示すブロック図である。なお、図１５に示した従来のダウンロード端末１０４と同じ機能を有するブロックには同じ符号を付し、説明を省略する。
【０１３０】
本実施の形態１のダウンロード端末２０４は、視聴コンテンツ選択部２０５および購入コンテンツ選択部２０６の動作が、従来のダウンロード端末１０４と異なる。
【０１３１】
購入コンテンツ選択部２０６は、コンテンツ視聴ライセンス１７０のデータ構造が従来のコンテンツ視聴ライセンス１１１のデータ構造と異なるが、コンテンツ視聴ライセンス１７０を事業者ｗｅｂサーバ１００から取得し、ダウンロード実行部１１２にダウンロード命令１３０を発行して、ダウンロードした暗号化コンテンツ１７４をＨＤＤ１８０内のライセンスリスト１１５に含めて蓄積させるまでの動作は、従来のダウンロード端末１０４の動作と同様である。
【０１３２】
その後、ダウンロードした暗号化コンテンツ１７４をメディアに書き出すために「書き出しライセンス」に更新する際の購入コンテンツ選択部２０６の動作が、従来の購入コンテンツ選択部１０７の動作と異なるが、その動作については後述する。
【０１３３】
視聴コンテンツ選択部２０５は、ユーザが視聴するコンテンツを選ぶためのブロックであり、ユーザからの指示（図示せず）があると、ＨＤＤ１８０上に蓄積されているコンテンツ視聴ライセンスを読み出して、視聴可能なコンテンツの一覧をユーザに提示する。同様に、視聴コンテンツ選択部２０５は、ＨＤＤ１８０上に蓄積されている特典視聴ライセンスを読み出して、視聴可能な特典をユーザに提示する。
【０１３４】
図８は、視聴コンテンツ選択部２０５がユーザに示すコンテンツ一覧表示画面の一例を示している。
【０１３５】
コンテンツ一覧表示画面３００は、コンテンツサムネイルブロック３０１、コンテンツ詳細情報ブロック３０２、コンテンツリストブロック３０３で構成されている。さらに、コンテンツリストブロック３０３の中に、ＨＤＤ１８０に蓄積された各コンテンツまたは各コンテンツ視聴ライセンスに含まれるコンテンツ情報の内容の一部を、インデックスとしてコンテンツ表示部３０４ａ〜３０４ｃに表示する。また、コンテンツ視聴ライセンスと同じコンテンツＩＤを持つ特典視聴ライセンスがある場合、特典が存在することを示す特典表示部３０５ａや３０５ｃが併記表示される。
【０１３６】
コンテンツリストブロック３０３内に表示されたコンテンツ表示部３０４ａ〜３０４ｃまたは特典表示部３０５ａ、３０５ｃは、リモコン等で選択できるようになっており、これらを選択してリモコンの再生ボタン等（図示せず）を押すことで、コンテンツ本編や特典を視聴することができる。また、コンテンツサムネイルブロック３０１には、コンテンツリストブロック３０３の中から現在選択されているコンテンツのサムネイルを表示する。コンテンツ詳細情報ブロック３０２には、同様に現在選択されているコンテンツの詳細情報を表示する。
【０１３７】
なお、図８では、特典表示部３０５ａが選択された状態であることを示している。したがって、このとき、コンテンツサムネイルブロック３０１およびコンテンツ詳細情報ブロック３０２には、特典表示部３０５ａに対応する特典コンテンツのサムネイルおよび詳細情報が表示されている。
【０１３８】
ユーザが特典表示部３０５ａを選択してリモコンの再生ボタン等（図示せず）を押した時、視聴コンテンツ選択部２０５は、ユーザの選択した特典に対応する特典視聴ライセンス１３８をライセンスリスト１１５から検索して読み出し、ユーザが選択した暗号化コンテンツ１７４に対応する復号鍵１１８をＤＲＭクライアント１１４によってＤＲＭサーバ１０２から取得し、その復号鍵１１８を復号機１４０にセットするとともにＨＤＤ１８０上に保存し、復号機１４０に対して復号命令１４１を発行する。
【０１３９】
このときの特典視聴ライセンス１３８の構造が図３（ａ）のデータ構造である場合、視聴コンテンツ選択部２０５が発行する復号命令１４１には、ライセンスＩＤ１２０の他に、特典開始位置オフセット１９１が含まれる。復号命令１４１を受けた復号機１４０は、受け取ったライセンスＩＤ１２０をもとに、ＨＤＤ１８０上から対応する暗号化コンテンツ１７４を特典開始位置オフセット１９１が示す地点から読み出し、復号コンテンツ１４２として復号機１４０の外部に出力する。特典データがＡＶデータだった場合は、ＡＶデコーダ１４３に対して出力開始する。すなわち、復号機１４０が復号鍵１１８を用いてその暗号化コンテンツ１７４を復号しつつＡＶデコーダ１４３に出力し、ＡＶデコーダ１４３はそれをＴＶ出力１４４として出力する。
【０１４０】
なお、特典データをＴＶ出力１４４として出力する、この場合のＡＶデコーダ１４３が、本発明の特典利用ユニットの一例にあたる。また、このときの、コンテンツ一覧表示画面３００に対するユーザからの指示にしたがって、特典データをＡＶデコーダ１４３からＴＶ出力１４４として出力する処理が、本発明の特典利用ステップの一例にあたる。
【０１４１】
一方、コンテンツ一覧表示画面３００において、ユーザがコンテンツ表示部３０４ａを選択してリモコンの再生ボタン等（図示せず）を押した時には、視聴コンテンツ選択部２０５は、ユーザの選択したコンテンツに対応するコンテンツ視聴ライセンス１７０をライスリスト１１５から検索して読み出し、ユーザが選択した暗号化コンテンツ１７４に対応する復号鍵１１８をＤＲＭクライアント１１４によってＤＲＭサーバ１０２から取得し、その復号鍵１１８を復号機１４０にセットするとともにＨＤＤ１８０上に保存し、復号機１４０に対して復号命令１４１を発行する。
【０１４２】
暗号化コンテンツの本編がＭＰＥＧ  ＴＳ形式の映像音声ストリームの場合、この復号命令１４１には、コンテンツ視聴ライセンス１７０から読み出したライセンスＩＤ１２０、映像ＰＩＤ１２６、音声ＰＩＤ１２７が含まれる。復号命令１４１を受けた復号機１４０は、受け取ったライセンスＩＤ１２０をもとに、従来例と同様の手順で対応する暗号化コンテンツ１７４をＨＤＤ１８０上から読み出し、映像ＰＩＤ１２６、音声ＰＩＤ１２７と同じ値を持つデータパケットを抽出して再構成し、復号鍵１１８を用いてその暗号化コンテンツ１７４を復号しつつ、ＡＶデコーダ１４３に対して出力開始する。そして、ＡＶデコーダ１４３は、それをＴＶ出力１４４として出力する。
【０１４３】
なお、本編データをＴＶ出力１４４として出力する、この場合のＡＶデコーダ１４３が、本発明の本編利用ユニットの一例にあたる。また、このときの、コンテンツ一覧表示画面３００に対するユーザからの指示にしたがって、本編データをＡＶデコーダ１４３からＴＶ出力１４４として出力する処理が、本発明の本編利用ステップの一例にあたる。
【０１４４】
図９は、本実施の形態１のレンタルシステムでダウンロード端末２０４が取得したコンテンツを、メディアへ書き出しする際の動作を時系列に沿って模式的に表したシーケンス図である。図中の各符号は図１、図４および図７で用いた各符号に対応している。また、図９に示す斜線部は、各ライセンスの存在期間を表している。
【０１４５】
ダウンロード端末２０４が、事業者ｗｅｂサーバ１００からコンテンツ視聴ライセンス１７０を取得するまでのシーケンスは、図１８に示した従来のレンタルシステムの場合と同様である。
【０１４６】
その後、ダウンロード端末２０４はダウンロードコンテンツサーバ２０３に対してコンテンツ取得要求１３１を発行する。ダウンロードコンテンツサーバ２０３は、コンテンツ取得要求１３１を受けて、本編データと特典データが含まれた暗号化コンテンツ１７４をダウンロード端末２０４に配信する。ダウンロード端末２０４は、ダウンロードしたその暗号化コンテンツ１７４をＨＤＤ１８０に蓄積する。
【０１４７】
その後、ダウンロード端末２０４は、事業者ｗｅｂサーバ１００に対して購入済コンテンツリスト要求１０８１を発行することにより、購入済コンテンツリストページ１０９１を取得するとともに、その内容をユーザに提示する。ユーザはこの購入済コンテンツリストページ１０９１を閲覧して、メディア書き出しのために「書き出しライセンス」に更新するコンテンツを決定する。ライセンス更新要求１３４が購入コンテンツ選択部２０６から事業者ｗｅｂサーバ１００に送信され、これを受けた事業者ｗｅｂサーバ１００は、購入コンテンツ選択部２０６に対して、要求されたコンテンツに対する書き出しライセンス１３５と特典視聴ライセンス１３８を発行する。そして、ダウンロード端末２０４は、コンテンツ視聴ライセンス１７０と同様の方法で、発行された書き出しライセンス１３５と特典視聴ライセンス１３８をＨＤＤ１８０内のライセンスリスト１１５に含めて保存する。
【０１４８】
そして、ダウンロード端末２０４のＤＲＭクライアント１１４は、ＤＲＭサーバ１０２に書き出し用の復号鍵要求１１７１を発行して、書き出し用の復号鍵１１８１を取得し、復号機１４０が暗号化コンテンツ１７４を復号して、メディアドライブ１４５によってメディアへの書き出しが実行される。この時、復号機１４０は、暗号化コンテンツ１７４から本編データのみを抽出して、復号コンテンツ１４２としてメディアドライブ１４５へ出力する。
【０１４９】
メディアへの書き出し成功後に、ダウンロード端末２０４から書き出しライセンス１３５と書き出し用の復号鍵１１８１が削除される。メディアへの書き出し後も特典視聴ライセンス１３８は残り、特典視聴ライセンス１３８に含まれる視聴期間１２３が示す間、ダウンロード端末２０４上で特典を利用することができる。
【０１５０】
なお、書き出しライセンス１３５が、本発明の外部書き出しライセンスの一例にあたる。  また、メディアドライブ１４５が本編データのみを書き込みメディアが、本発明の他のメディアの一例にあたり、本発明の他のメディアとは、例えば、光ディスクや半導体メモリのような着脱可能メディアなどである。
【０１５１】
なお、図５（ｂ）〜（ｄ）で示される暗号化コンテンツ１７４の構成において、ＰＭＴ１またはＰＭＴ３には必ずしも特典ＰＩＤを含む必要はない。ＰＭＴ１やＰＭＴ３に特典ＰＩＤを含める代わりに、図３（ｃ）のように特典視聴ライセンス１３８に特典ＰＩＤ１９３が含まれていれば、ダウンロード端末２０４側で暗号化コンテンツ１７４を解析して特典データのみを抽出することが可能である。これにより、ダウンロード端末２０４で暗号化コンテンツ１７４のＰＭＴを解析して特典ＰＩＤを取り出す必要がなくなり、暗号化コンテンツ１７４から特典データを抽出するための処理負担を小さくできる。
【０１５２】
同様の理由により、図５（ｅ）で示される暗号化コンテンツ１７４の構成において、ＰＭＴ４に必ずしも特典用の映像ＰＩＤおよび音声ＰＩＤを含む必要はない。ＰＭＴ４に特典用の映像ＰＩＤおよび音声ＰＩＤを含める代わりに、特典視聴ライセンス１３８に、特典用の映像ＰＩＤおよび音声ＰＩＤが含まれていればよい。
【０１５３】
なお、上記では、特典視聴ライセンス１３８の構造が図３（ａ）のデータ構造であるとして説明したが、図３（ｂ）のデータ構造の場合には、復号命令１４１に、特典開始位置オフセット１９１を含める代わりに、特典データ区間１９２を含めるようにしてもよい。特典データ区間１９２を用いた場合には、特典データが暗号化コンテンツ１７４の途中に埋め込まれていたとしても、特典だけを再生できる。この場合、復号命令１４１を受けた復号機１４０は、受け取ったライセンスＩＤ１２０をもとに、ＨＤＤ１８０上から対応する暗号化コンテンツ１７４を特典データ区間１９２の起点が示す地点から読み出し、ＡＶデコーダ１４３に対して出力開始する。そして特典データ区間１９２の終点が示す地点まで読み出したら、ＨＤＤ１８０からの読み出しを終了する。
【０１５４】
同様に、特典視聴ライセンス１３８の構造が図３（ｃ）のデータ構造の場合には、復号命令１４１に、特典開始位置オフセット１９１を含める代わりに、特典ＰＩＤ１９３を含めるようにしてもよい。特典ＰＩＤ１９３を用いた場合には、特典データが暗号化コンテンツ１７４の中に時間軸多重化して埋め込まれていたとしても、特典だけを再生できる。この場合、復号命令１４１を受けた復号機１４０は、受け取ったライセンスＩＤ１２０をもとに、ＨＤＤ１８０上から対応する暗号化コンテンツ１７４を読み出した後、ＰＩＤフィルタ（図示せず）を通して特典ＰＩＤ１９３を含むデータパケットのみを抽出し、特典データを再構成してＡＶデコーダ１４３に対して出力開始する。
【０１５５】
なお、本実施の形態１では、図８で示されるコンテンツ一覧表示画面３００において、特典表示部３０５ａや３０５ｃをコンテンツリストブロック３０３の中に表示することとして説明したが、必ずしもこれらをコンテンツリストブロック３０３の中に表示する必要はない。コンテンツ詳細情報ブロック３０２などにこれらを表示させてもよい。
【０１５６】
コンテンツ詳細情報ブロック３０２に表示させることにより、画面解像度が限られた端末等で画面表示内容を節約することができる。この場合、コンテンツ一覧表示画面３００から特典を選択して視聴開始できないので、一旦コンテンツを選択させたあとで、本編を見るか特典を見るかをユーザに提示し、特典を選択させることで同様の効果が得られる。
【０１５７】
なお、ＤＲＭクライアント１１４、購入コンテンツ選択部２０６、ダウンロード実行部１１２および視聴コンテンツ選択部２０５における処理は、いずれも、ネットワークＩ／Ｆ１０６およびＨＤＤ１８０との入出力、または各ブロック間のデータ授受という処理なので、これらのブロックにおける処理はＣＰＵを用いてプログラムを実行することにより容易に実現できるものである。また、復号機１４０は、復号用のＬＳＩなどを使用してもよいし、高速な演算機能を有するＣＰＵなどを用いてその機能をソフトウェアで実現することもできる。
【０１５８】
また、図１３〜図１８で説明した従来のレンタルシステムの場合には、書き出しライセンスを取得する際または取得した後に特典コンテンツをダウンロードするので、特典を視聴できる権利を得たにもかかわらず、特典データが未ダウンロードであるためダウンロード端末１０４上で直ちにその特典を利用できないという課題があった。従来のレンタルシステムでは、この課題に対して、コンテンツ視聴ライセンス１１１を取得した時点で、本編部分のデータとは別に特典部分のデータを取得しておくという方法も考えられるが、その場合には、本編部分のデータと特典部分のデータを紐付けして管理する必要があるために、ダウンロード端末１０４側とサーバ側の双方でコンテンツ管理が煩雑になるという別の課題が生じてしまう。
【０１５９】
本実施の形態１のレンタルシステムでは、特典データ部分を、本編データ部分を取得する際に取得しており、別個に設けたライセンスで管理するだけなので、これらの従来のレンタルシステムにおける課題も解消できる。
【０１６０】
（実施の形態２）
次に、本発明の実施の形態２のレンタルシステムについて説明する。
【０１６１】
本実施の形態２のレンタルシステムの構成は、実施の形態１のレンタルシステムと同様の構成であり、図１に示す通りである。
【０１６２】
実施の形態１では、特典視聴ライセンス１３８に基づいて特典データを制御したのに対し、本実施の形態２では、特典視聴ライセンス１３８を用いる代わりに、コンテンツ視聴ライセンスを、特典データに関する情報を含むコンテンツ視聴ライセンスへ更新させることによって特典データを制御する。
【０１６３】
以下には、実施の形態１と異なる、ダウンロード端末２０４に蓄積されているコンテンツをメディアに書き出す際の動作について説明する。
【０１６４】
図１０に、本実施の形態２において、書き出しライセンスを取得する際に更新されるコンテンツ視聴ライセンス１１１１のデータ構造を示す。書き出しライセンスを取得する前の、更新される前のコンテンツ視聴ライセンス１７０のデータ構造は、実施の形態１と同様であり、図２に示す通りである。
【０１６５】
更新後のコンテンツ視聴ライセンス１１１１には、更新前のコンテンツ視聴ライセンス１７０の内容のほかに、特典の内容が含まれるかどうかを示す特典フラグ１９４、特典のコンテンツタイトル１９５、ダウンロード端末２０４上で特典が視聴可能な期間を示す特典視聴期間１９６、および特典開始位置オフセット１９１が含まれる。
【０１６６】
なお、コンテンツ視聴ライセンス１７０が、本発明の第１の限定ライセンスの一例にあたり、コンテンツ視聴ライセンス１１１１が、本発明の第２の限定ライセンスの一例にあたる。
【０１６７】
特典開始位置オフセット１９１は、図３（ａ）の特典視聴ライセンス１３８に含まれる特典開始位置オフセット１９１と同様である。また特典開始位置オフセット１９１の代わりに、図３（ｂ）や（ｃ）に示すような特典データ区間や特典ＰＩＤと同等の情報を含めてもよいし、これらの情報が重複して存在してもよい。
【０１６８】
図１１に、本実施の形態２のダウンロード端末２０４の内部を示すブロック図を示す。なお、図７に示した実施の形態１のダウンロード端末２０４と同じ機能を有するブロックには同じ符号を付し、説明を省略する。
【０１６９】
実施の形態１では、購入コンテンツ選択部２０６が、事業者ｗｅｂサーバ１００にライセンス更新要求１３４を送信して、事業者ｗｅｂサーバ１００から書き出しライセンス１３５とともに特典視聴ライセンス１３８を取得したが、本実施の形態２では、購入コンテンツ選択部２０７は、事業者ｗｅｂサーバ１００へのライセンス更新要求１３４に対して、事業者ｗｅｂサーバ１００から書き出しライセンス１３５とともに更新されたコンテンツ視聴ライセンス１１１１を取得する。
【０１７０】
したがって、本実施の形態２においてダウンロード端末２０４で管理されるライセンスは、コンテンツ視聴ライセンスと書き出しライセンスのみであり、実施の形態１のように特典視聴ライセンスを管理する必要がない。
【０１７１】
このように、特典視聴ライセンス１３８を設ける代わりにコンテンツ視聴ライセンスの内容を更新させることにより、ダウンロード端末２０４側で保持・管理するライセンス数を減らすことができ、かつダウンロード端末２０４側の実装に応じて適切な特典利用方法を選択できる、という効果が得られる。
【０１７２】
図１２に、本実施の形態２のレンタルシステムでダウンロード端末２０４が取得したコンテンツを、メディアへ書き出しする際の動作を時系列に沿って模式的に表したシーケンス図を示す。図中の各符号は図１および図１１で用いた各符号に対応している。また、図１２に示す斜線部は、各ライセンスの存在期間を表している。
【０１７３】
ダウンロード端末２０４が、事業者ｗｅｂサーバ１００からコンテンツ視聴ライセンス１７０を取得してＨＤＤ１８０に暗号化コンテンツ１７４を蓄積するまでのシーケンスは、図９と同様である。
【０１７４】
その後、事業者ｗｅｂサーバ１００に対して購入済コンテンツリスト要求１０８１を発行することにより、購入済コンテンツリストページ１０９１を取得するとともに、その内容をユーザに提示する。ユーザはこの購入済コンテンツリストページ１０９１を閲覧して、メディア書き出しのために「書き出しライセンス」に更新するコンテンツを決定する。ユーザが「書き出しライセンス」に更新するコンテンツを決定すると、ライセンス更新要求１３４が購入コンテンツ選択部２０７から事業者ｗｅｂサーバ１００に送信され、これを受けた事業者ｗｅｂサーバ１００は、購入コンテンツ選択部２０７に対して、要求されたコンテンツに対する書き出しライセンス１３５と特典情報が含まれたコンテンツ視聴ライセンス１１１１を発行する。
【０１７５】
コンテンツ視聴ライセンス１１１１の発行を受けた購入コンテンツ選択部２０７は、コンテンツ視聴ライセンス１１１１に含まれるライセンスＩＤ１２０の値と同じライセンスＩＤ１２０の値を持つＨＤＤ１８０上のコンテンツ視聴ライセンス１７０を、コンテンツ視聴ライセンス１１１１に置き換える。
【０１７６】
そして、ダウンロード端末２０４のＤＲＭクライアント１１４は、ＤＲＭサーバ１０２に書き出し用の復号鍵要求１１７１を発行して、書き出し用の復号鍵１１８１を取得し、復号機１４０が書き出し用の復号鍵１１８１を用いて暗号化コンテンツ１７４を復号して、メディアドライブ１４５によってメディアへの書き出しが実行される。この時、復号機１４０は、暗号化コンテンツ１７４から本編データのみを抽出して、復号コンテンツ１４２としてメディアドライブ１４５へ出力する。
【０１７７】
メディアへの書き出し成功後に、ダウンロード端末２０４から書き出しライセンス１３５と書き出し用の復号鍵１１８１が削除される。メディアへの書き出し後もコンテンツ視聴ライセンス１１１１は残り、コンテンツ視聴ライセンス１１１１に含まれる特典視聴期間１９６が示す間、ダウンロード端末２０４上で特典を利用することができる。
【０１７８】
なお、各実施の形態において、ＩＥＥＥ１３９４やネットワークインタフェース経由等でダウンロード端末２０４と接続された外部装置（図示せず）で視聴するために、復号機１４０から出力した復号コンテンツ１４２を復号機１４０に再入力し、蓄積不可（コピー不可）の出力制御情報を含んだ状態で各々のインタフェース伝送規格に従って暗号化し、前記外部装置に出力してもよい。これにより、ダウンロード端末２０４以外の端末でも暗号化コンテンツ１７４を視聴することができ、ユーザの利便性を向上できる。
【０１７９】
なお、各実施の形態において、暗号化コンテンツ１７４の本編データや特典データを出力またはメディアに書き出す際に、ダウンロード端末２０４はＤＲＭサーバ１０２から取得した復号鍵１１８または復号鍵１１８１を必ずしもＨＤＤ１８０上に保存する必要はない。暗号化コンテンツ１７４の本編データや特典データを出力またはメディアに書き出す際に都度、暗号鍵１１８または復号鍵１１８１を取得して復号機１４０にセットすればよい。これにより、ダウンロード端末２０４は暗号鍵１１８または復号鍵１１８１を保持するためのセキュアな機構を持たなくて済み、端末コストを下げることができる。
【０１８０】
なお、各実施の形態において、暗号化コンテンツ１７４の本編データや特典データを出力またはメディアに書き出す際に、既に視聴対象の暗号化コンテンツ１７４の復号鍵１１８または復号鍵１１８１がＨＤＤ１８０に蓄積されていた場合、ダウンロード端末２０４はＤＲＭサーバ１０２から復号鍵１１８または復号鍵１１８１を取得する必要はなく、代わりにＨＤＤ１８０に蓄積された復号鍵１１８または復号鍵１１８１をセットすればよい。これにより、コンテンツ一覧表示画面３００で視聴対象のコンテンツが選択されてから、復号コンテンツ１４２がＴＶ出力１４４またはメディアドライブ１４５に出力されるまでの時間を大幅に削減することができる。
【０１８１】
また、各実施の形態において、視聴コンテンツ選択部２０５が、ダウンロード実行部１１２によってＨＤＤ１８０へ蓄積中の暗号化コンテンツ１７４の状態を監視し、ＨＤＤ１８０に蓄積中の暗号化コンテンツ１７４のファイル内の本編データが利用可能になった以降は、コンテンツ一覧表示画面３００に、その蓄積中の暗号化コンテンツ１７４をリストアップするようにしても良い。このようにすることで、特典データ部分のダウンロード完了を待つことなく、ユーザは本編データを利用できる。
【０１８２】
また、各実施の形態において、暗号化コンテンツ１７４の本編データ部分のダウンロードが完了し、特典データ部分をダウンロードしている段階で、その暗号化コンテンツ１７４が「書き出しライセンス」に変更された場合、コンテンツ一覧表示画面３００を通じて、現在特典データ部分はダウンロード中であり、ダウンロード進捗率やあとどの位で特典を利用可能になるかをユーザに提示してもよい。これにより、ユーザは特典を利用できるまでの待機時間を知ることができる。
【０１８３】
また、各実施の形態では、暗号化コンテンツ１７４を、１つのファイルの中に本編データと特典データを有する構造として説明したが、本編データと特典データで別のファイルにするような、複数のファイルの構成としてもよい。例えば、ダウンロードコンテンツサーバ２０３からダウンロード端末２０４に配信される暗号化コンテンツ１７４は、本編データと特典データが合成されたものであり、ダウンロード端末２０４がそのデータを受信する際に、本編データと特典データに分けて２つのファイルにしてＨＤＤ１８０に蓄積するようにしてもよい。また、例えば、ダウンロードコンテンツサーバ２０３からダウンロード端末２０４へは、本編データと特典データが別々に配信されるものとし、ダウンロード端末２０４で、それらのデータを１つのファイルに合成してＨＤＤ１８０に蓄積するようにしてもよい。
【０１８４】
なお、本発明のプログラムは、上述したコンテンツ利用方法の、前記第１の限定ライセンスに基づいて前記本編部分を視聴させる前記本編利用ステップおよび、前記第２の限定ライセンスに基づいて前記特典部分を視聴させる前記特典利用ステップの動作をコンピュータにより実行させるためのプログラムであって、コンピュータと協働して動作するプログラムである。
【０１８５】
また、本発明の記録媒体は、上述したコンテンツ利用方法の、前記第１の限定ライセンスに基づいて前記本編部分を視聴させる前記本編利用ステップおよび、前記第２の限定ライセンスに基づいて前記特典部分を視聴させる前記特典利用ステップの動作をコンピュータにより実行させるためのプログラムを記録した記録媒体であり、コンピュータにより読み取り可能かつ、読み取られた前記プログラムが前記コンピュータと協働して利用される記録媒体である。
【０１８６】
また、本発明の上記「ステップの動作」とは、前記ステップの全部または一部の動作を意味する。
【０１８７】
また、本発明のプログラムの一利用形態は、コンピュータにより読み取り可能な、ＲＯＭ等の記録媒体に記録され、コンピュータと協働して動作する態様であっても良い。
【０１８８】
また、本発明のプログラムの一利用形態は、インターネット等の伝送媒体、光・電波等の伝送媒体中を伝送し、コンピュータにより読みとられ、コンピュータと協働して動作する態様であっても良い。
【０１８９】
また、上述した本発明のコンピュータは、ＣＰＵ、ＤＳＰ、ＦＰＧＡ等の純然たるハードウェアに限らず、ファームウェアや、ＯＳ、更に周辺機器を含むものであっても良い。
【０１９０】
なお、以上説明した様に、本発明の構成は、ソフトウェア的に実現しても良いし、ハードウェア的に実現しても良い。
【０１９１】
以上に説明したように、本発明のダウンロード端末、サーバ、コンテンツ配信システム、コンテンツ利用方法およびコンテンツ配信方法等を用いることにより、「書き出しライセンス」に更新した際に、期間限定の特典コンテンツを提供することができ、魅力のある特典付加サービスが実現可能である。
【０１９２】
また、本発明により、特典と本編の管理に関してダウンロード端末側又はサーバ側で煩雑なコンテンツ管理が不要で、書き出しライセンス更新時に直ちに特典が利用可能になるという効果が得られる。
【産業上の利用可能性】
【０１９３】
本発明に係るダウンロード端末、サーバ、コンテンツ配信システム、コンテンツ利用方法およびコンテンツ配信方法等は、書き出しライセンスに更新した際に期間限定の特典コンテンツも提供することができるという顕著な効果を有し、ネットワーク経由で映像や音声コンテンツをダウンロードして再生することのできる、ダウンロード端末、サーバ、コンテンツ配信システム、コンテンツ利用方法およびコンテンツ配信方法等として有用である。
【図面の簡単な説明】
【０１９４】
【図１】本発明の実施の形態１および実施の形態２のレンタルシステムの構成図
【図２】本発明の実施の形態１のコンテンツ視聴ライセンスのデータ構造を示す図
【図３】（ａ）〜（ｃ）本発明の実施の形態１のレンタルシステムで使用可能な特典視聴ライセンスのデータ構造例を示した図
【図４（ａ）】本発明の実施の形態１のダウンロードコンテンツサーバの暗号化動作を模式的に表したブロック図
【図４（ｂ）】本発明の実施の形態１の、暗号化機が特典データ区間を出力した場合の再生制御情報リストの構成例を示す図
【図４（ｃ）】本発明の実施の形態１の、暗号化機が特典ＰＩＤを出力した場合の再生制御情報リストの構成例を示す図
【図５】（ａ）〜（ｅ）本発明の実施の形態１の暗号化コンテンツのデータ構成例を示した図
【図６】（ａ）〜（ｄ）本発明の実施の形態１の暗号化コンテンツのデータ構成例に含まれるＰＭＴの内容の一例を示した図
【図７】本発明の実施の形態１のダウンロード端末のブロック図
【図８】本発明の実施の形態１のコンテンツ一覧表示画面の一例を示す図
【図９】本発明の実施の形態１のレンタルシステムにおける、メディア書き出しの動作概要と各ライセンスの関係を示すシーケンス図
【図１０】本発明の実施の形態２の、更新後のコンテンツ視聴ライセンスのデータ構造を示す図
【図１１】本発明の実施の形態２のダウンロード端末のブロック図
【図１２】本発明の実施の形態２のレンタルシステムにおける、メディア書き出しの動作概要と各ライセンスの関係を示すシーケンス図
【図１３】従来のレンタルシステムの構成図
【図１４】従来のコンテンツ視聴ライセンスのデータ構造を示す図
【図１５】従来のダウンロード端末のブロック図
【図１６】従来のサーバ群の構成、データ共有およびデータ生成を示す図
【図１７】従来のレンタルシステムの動作概要を示すシーケンス図
【図１８】従来のレンタルシステムにおける、メディア書き出しの動作概要とライセンスの関係を示すシーケンス図
【符号の説明】
【０１９５】
１００  事業者ｗｅｂサーバ
１０１  ダウンロードコンテンツサーバ
１０２  ＤＲＭサーバ
１０３  インターネット網
１０４  ダウンロード端末
１０５  ＴＶ
１０６  ネットワークＩ／Ｆ
１０７  購入コンテンツ選択部
１０８  購入コンテンツリスト要求
１０８１  購入済コンテンツリスト要求
１０９  コンテンツリストページ
１０９１  購入済コンテンツリストページ
１１０  コンテンツ購入要求
１１１  コンテンツ視聴ライセンス
１１２  ダウンロード実行部
１１３  視聴コンテンツ選択部
１１４  ＤＲＭクライアント
１１５  ライセンスリスト
１１６  認証鍵交換処理
１１７  復号鍵要求
１１７１  復号鍵要求
１１８  復号鍵
１１８１  復号鍵
１１９  コンテンツタイトル
１２０  ライセンスＩＤ
１２１  コンテンツリファレンスＩＤ
１２２  ライセンス種別
１２３  視聴期間
１２４  コンテンツＵＲＩ
１２５  ＤＲＭサーバＵＲＩ
１２６  映像ＰＩＤ
１２７  音声ＰＩＤ
１３０  ダウンロード命令
１３１  コンテンツ取得要求
１３２  暗号化コンテンツ
１３３  復号鍵要求
１３４  ライセンス更新要求
１３５  書き出しライセンス
１３８  特典視聴ライセンス
１４０  復号機
１４１  復号命令
１４２  復号コンテンツ
１４３  ＡＶデコーダ
１４４  ＴＶ出力
１４５  メディアドライブ
１５０  発行済みライセンスリスト
１５１  暗号鍵リスト
１６１  再生要求
１７０  コンテンツ視聴ライセンス
１７２  本編データソース（コンテンツソース）
１７３  暗号化機
１７４  暗号化コンテンツ
１８０  ＨＤＤ
１８１  暗号鍵
１９１  特典開始位置オフセット
１９２  特典データ区間
１９３  特典ＰＩＤ
１９４  特典フラグ
１９５  特典コンテンツタイトル
１９６  特典視聴期間
１９７  特典開始位置オフセット
２００  暗号鍵リスト
２０１  特典データソース
２０２  再生制御情報リスト
２０３  ダウンロードコンテンツサーバ
２０４  ダウンロード端末
２０５  視聴コンテンツ選択部
２０６  購入コンテンツ選択部
２０７  購入コンテンツ選択部
２０８  暗号化機
３００  コンテンツ一覧表示画面
３０１  コンテンツサムネイルブロック
３０２  コンテンツ詳細情報ブロック
３０３  コンテンツリストブロック
３０４ａ〜３０４ｃ  コンテンツ表示部
３０５ａ、３０５ｃ  特典表示部
１１１１  コンテンツ視聴ライセンス
【図１】
2009038510.tif 000003
【図２】
2009038510.tif 000004
【図３】
2009038510.tif 000005
【図４（ａ）】
2009038510.tif 000006
【図４（ｂ）】
2009038510.tif 000007
【図４（ｃ）】
2009038510.tif 000008
【図５】
2009038510.tif 000009
【図６】
2009038510.tif 000010
【図７】
2009038510.tif 000011
【図８】
2009038510.tif 000012
【図９】
2009038510.tif 000013
【図１０】
2009038510.tif 000014
【図１１】
2009038510.tif 000015
【図１２】
2009038510.tif 000016
【図１３】
2009038510.tif 000017
【図１４】
2009038510.tif 000018
【図１５】
2009038510.tif 000019
【図１６】
2009038510.tif 000020
【図１７】
2009038510.tif 000021
【図１８】
2009038510.tif 000022